(57)【要約】【課題】容易かつ迅速にビートノイズの発生源の周波数を判別可能とする信号測定表示装置を提供する【解決手段】チューナの出力ビデオラインの信号を測定して周波数毎の振幅を表示する信号測定表示装置において、チューナから得られた信号をチューナが周波数変換する前の周波数で表示することとする。このように表示することで、信号測定表示装置に表示されるビートノイズの周波数がチューナで変換される前の周波数、即ち実際のビートノイズの発生源の周波数となり、容易かつ迅速に判別可能となる。【選択図】図３
2008107277.tif 000002
【特許請求の範囲】
【請求項１】
入力される信号の周波数を変換して画像表示装置に出力信号を出力するチューナの前記出力信号が入力されるとともに、入力される前記出力信号の周波数毎の振幅を表示する表示部を備える信号測定表示装置において、
前記表示部の表示を制御する表示方法制御部と、前記表示部で表示される周波数の範囲を指定する入力部と、を備え、
当該入力部によって前記表示方法制御部が制御され、前記表示部で表示される周波数の帯域幅が、入力される前記出力信号の周波数の帯域幅と略等しいものに設定されるとともに、
前記表示方法制御部が前記表示部の表示方法として、入力される前記出力信号の周波数を前記チューナで周波数が変換される前の周波数で表示する表示方法と、入力される前記出力信号の周波数をそのまま表示する表示方法と、からを選択し表示することを特徴とする信号測定表示装置。
【請求項２】
入力される信号の周波数を変換して画像表示装置に出力信号を出力するチューナの前記出力信号が入力されるとともに、入力される前記出力信号の周波数毎の振幅を表示する表示部を備える信号測定表示装置において、
前記表示部の表示を制御する表示方法制御部を備え、当該表示方法制御部が前記表示部の表示方法として、入力される前記出力信号の周波数を前記チューナで周波数が変換される前の周波数で表示する表示方法を設定することを特徴とする信号測定表示装置。
【請求項３】
前記表示部で表示される周波数の範囲を指定する入力部を備え、当該入力部によって前記表示方法制御部が制御され、前記表示部で表示される周波数の帯域幅が、入力される前記出力信号の周波数の帯域幅と略等しいものに設定されることを特徴とする請求項２に記載の信号測定表示装置。
【発明の詳細な説明】
【技術分野】
【０００１】
本発明は、スペクトラムアナライザに代表される信号測定表示装置に関する。
【背景技術】
【０００２】
スペクトラムアナライザに代表される信号測定表示装置は、周波数毎の信号の振幅を測定、表示するために用いられ、例えば、テレビジョンの出力画やラジオの音声にノイズが混入している場合にそのノイズの周波数を計測し、ノイズ源を特定するために用いられる。特に、ＤＶＤレコーダ等を備えたチューナでは装置内部の様々な素子が様々な動作周波数を有するため、出力画にビートノイズと呼ばれるノイズが発生する問題が生じている。このビートノイズのノイズ源を特定するために、チューナの生産過程で信号測定表示装置を用いた検査が行われる。
【０００３】
信号測定表示装置を用いてチューナの検査をする場合、まず、全チャンネルの出力画を確認し、その後チャンネル毎に信号測定表示装置を用いて測定する。この時、チューナの出力ビデオラインの信号の周波数帯域が予め分かっているため、信号測定表示装置が表示する範囲を予めその帯域に設定するとともにチューナ側で順次出力するチャンネルを変えることでチャンネル毎に検査を行う。また、この信号測定装置には特許文献１に示すようなものがある（特許文献１参照）。
【特許文献１】特開２００４−３４７３２０号公報
【発明の開示】
【発明が解決しようとする課題】
【０００４】
しかしながら、チューナの出力ビデオラインの信号に対してチャンネル毎に測定する場合においては、特許文献１の信号測定表示装置を用いたとするとビートノイズが発見されたときに瞬時にビートノイズの周波数が分からない問題が生じる。この問題を、図１の従来の信号測定表示装置の表示画面の模式図を用いて具体的に説明する。
【０００５】
この信号測定表示装置の画面の模式図では、表示画面１の横軸が周波数となっており、縦軸がその周波数における振幅を示している。画面の左上にはピークサーチ結果２が表示され、Ｐｅａｋ  Ｆｒｅｑｕｅｎｃｙ  ３．４０ＭＨｚと表示されている。このピークサーチ結果２が出力ビデオライン上における信号３のビートノイズ４の周波数の実測値を示している。また、図１は、ＮＴＳＣ方式（映像周波数の帯域幅が４．２ＭＨｚ）の放送を受信する場合において、チューナがＵＳＡの１０Ｃｈ（映像周波数の帯域が１９３．２５ＭＨｚ〜１９７．４５ＭＨｚ）を出力するとともに、その信号３を信号測定表示装置で測定した表示画面１を示している。さらに、図１は測定する範囲を観察しやすくするために、表示する周波数のスパン５を帯域幅に合わせ４．２ＭＨｚに設定している。
【０００６】
図１に示すように、チューナの出力ビデオラインの信号３はチューナによって周波数変換された信号であるため、従来の信号測定表示装置で測定した場合どのチャンネルにおいても変換後の０〜４．２ＭＨｚで表示されてしまう。この場合、得られるビートノイズ４の周波数は実測値となり０〜４．２ＭＨｚの間の値となる。そのため、従来では表示されている実測値の周波数にその測定しているチャンネルの映像周波数を加算することで実際のノイズ源が発している周波数を求めていたが、測定するチャンネル毎に加算する周波数も異なり、非常に煩雑な動作を伴うため検査が困難なものとなっていた。
【０００７】
そこで、本発明はこれらの問題を解決し、容易かつ迅速にビートノイズの発生源の周波数を判別可能とする信号測定表示装置を提供することを目的とする。
【課題を解決するための手段】
【０００８】
上記目的を達成するために本発明は、入力される信号の周波数を変換して画像表示装置に出力信号を出力するチューナの出力信号が入力されるとともに、入力される出力信号の周波数毎の振幅を表示する表示部を備える信号測定表示装置において、表示部の表示を制御する表示方法制御部を備え、表示方法制御部が表示部の表示方法として、入力される出力信号の周波数をチューナで周波数が変換される前の周波数で表示する表示方法を設定することを特徴とする。
【０００９】
また、上記構成の信号測定表示装置において、表示部で表示される周波数の範囲を指定する入力部を備え、入力部によって表示方法制御部が制御され、表示部で表示される周波数の帯域幅が、入力される出力信号の周波数の帯域幅と略等しいものに設定されることとしても構わない。
【００１０】
また、本発明の信号測定表示装置は、入力される信号の周波数を変換して画像表示装置に出力信号を出力するチューナの出力信号が入力されるとともに、入力される出力信号の周波数毎の振幅を表示する表示部を備える信号測定表示装置において、表示部の表示を制御する表示方法制御部と、表示部で表示される周波数の範囲を指定する入力部と、を備え、入力部によって表示方法制御部が制御され、表示部で表示される周波数の帯域幅が、入力される出力信号の周波数の帯域幅と略等しいものに設定されるとともに、表示方法制御部が表示部の表示方法として、入力される出力信号の周波数をチューナで周波数が変換される前の周波数で表示する表示方法と、入力される出力信号の周波数をそのまま表示する表示方法と、からを選択し表示することを特徴とする。
【００１１】
また、上記構成の信号測定表示装置において、予め複数のチャンネルの周波数が記録され、表示方法制御部が一つのチャンネルの周波数を選択して表示部に表示するとともに、入力部によって表示方法制御部が選択しているチャンネルの周波数の次に周波数が大きいチャンネルを選択させられ、表示方法制御部が表示部にその周波数を表示することとしても構わない。
【００１２】
また、上記構成の信号測定表示装置において、予め複数のチャンネルの周波数が記録され、表示方法制御部が一つのチャンネルの周波数を選択して表示部に表示するとともに、入力部によって表示方法制御部が選択しているチャンネルの周波数の次に周波数が小さいチャンネルを選択させられ、表示方法制御部が表示部にその周波数を表示することとしても構わない。
【発明の効果】
【００１３】
このように構成することで、表示される周波数がチューナによって周波数変換される前の周波数となるため、ビートノイズが混入している場合にノイズ源が発する周波数が即座に判別可能となる。したがって、チューナの検査が簡易化し、時間あたりの検査可能なチューナの数量を増加させることができる。
【発明を実施するための最良の形態】
【００１４】
以下、本発明の実施形態を図２及び図３に基づき説明する。図２は、本発明の実施形態に係る信号測定表示装置の構成を示すブロック図であり、図３は本発明の実施形態に係る信号表示装置の表示画面の模式図を示したものであり従来の信号測定表示装置について示した図１に相当するものである。
【００１５】
まず、図２を用いて本発明の実施形態に係る信号測定表示装置の構成の概要について説明する。図２に示すように、本発明の実施形態に係る信号測定表示装置６はローカル発振器７と、ローカル発振器７に掃引信号を与える掃引信号発生器８と、入力信号とローカル発振器７の発するローカル信号によって入力信号の周波数変換を行うミキサ９と、ミキサ９から得られる信号から所定の中間周波数の信号を取り出す中間周波数フィルタ１０と、中間周波数フィルタ１０より得られた信号を検波する検波器１１と、検波器１１から得られたデータをデジタルに変換するＡ／Ｄ変換器１２と、デジタル化されたデータを記録する測定データ記録部１３と、測定されたデータを読み出すとともにデータの処理が行われる測定データ読出部１４と、測定データ読出部１４のデータを処理するデータ制御部１５と、測定データ読出部１４から得られたデータを表示する表示部１６と、表示部１６の表示方法を制御するために測定データ読出部１４のデータの制御を行う表示方法制御部１７と、を備える。
【００１６】
チューナの出力ビデオラインから得られ、信号測定表示装置６に入力される入力信号は、ミキサ９でローカル信号に基づいて周波数変換される。このとき、ローカル信号はローカル発振器７より与えられ、ローカル発振器７は掃引信号発生器８より与えられる掃引信号に基づいてローカル信号の周波数を決定する。
【００１７】
ミキサ９から出力された信号は、中間周波数フィルタ１０に入力され、所定の中間周波数の信号が取り出される。そして、得られた中間周波数の信号が検波器１１に入力され、検波されることで入力信号の周波数毎の振幅が算出される。
【００１８】
また、この段階ではデータがアナログであるため、Ａ／Ｄ変換器１２によってデジタル化を行う。そして、デジタル化されたデータは測定データ記録部１３に記録される。
【００１９】
測定データ記録部１３に記録されたデータは測定データ読出部１４で読出され、データ制御部１５によって処理される。データ制御部１５は、例えばピークサーチなどのデータ読出部１４のデータに基づいた演算等をする時に用いられる。これらのデータもあわせて表示部１６に送られ、表示部１６によって表示される。
【００２０】
また、表示方法制御部１７は、データ読出部１４のデータの値を制御することで表示形式を変更する。表示形式には大きく分けて二つあり、一つは通常の信号測定表示装置と同様に実測値の周波数を示す「通常モード」、もう一つは実際のビートノイズの発生源の周波数を示す「ビートモード」である。
【００２１】
通常モードは、従来の信号測定表示装置と同様の表示を行うモードであり、例えば、図１に示したように実測値のまま表示される。
【００２２】
これに対してビートモードは、実際のビートノイズの周波数を示す表示形式であり、例えば図３に示すように表示される。図３は図１と同様にチューナがＵＳＡ１０Ｃｈを出力する場合に、チューナを信号測定表示装置で測定した表示画面１を示しているが、周波数の表示形式が図１の場合と異なっている。このモードで表示される周波数は、実測値のすべてにＵＳＡ１０Ｃｈの映像周波数である１９３．２５ＭＨｚを加算したものとなる。そして、図１でＰｅａｋ  ｆｒｅｑｕｅｎｃｙとして表示された周波数は、ビートモードでは映像周波数を加算したものとなり、実際のビートノイズの原因であるビート周波数を示したものとなる。そのため、ピークサーチ結果２がＢｅａｔ  ｆｒｅｑｕｅｎｃｙとして表示される。図３に示す例では、図１に示したピーク周波数の３．４０ＭＨｚに１９３．２５ＭＨｚを加算した１９６．６５ＭＨｚが表示される。
【００２３】
このように構成することで、表示されるビートノイズ４の周波数がチューナによって周波数変換される前の周波数、即ち実際のノイズ源が発する周波数となり、瞬時に判別可能となる。また、これによってチューナの検査が簡易化し、時間あたりの検査可能なチューナの数量を増加させることができる。
【００２４】
なお、通常モード及びビートモードにおいて、自動的に信号測定表示装置の周波数の表示幅であるスパンを映像周波数の帯域幅と同じ値とすることができるようにしてもよい。例えば、放送の方式（ＮＴＳＣやＰＡＬなど）を入力するだけでスパンが４．２や５．５ＭＨｚ、６．０ＭＨｚと変化するようにしてもよい。このような構成とすることで、スパンの数値を入力する手間を省くことができ、調べたい範囲と表示範囲とを瞬時に一致させることができる。
【００２５】
また、図３の例ではＵＳＡ１０Ｃｈを測定した例について示しているが、ビートモードでは他のチャンネルも同様に選択することが可能であり、予め映像周波数を入力しておくことによって、任意のチャンネルの周波数を加算することができる。この時、チャンネルの選択にテンキーを用いることとして、例えば「Ｕ」、「Ｓ」、「Ａ」、「１」、「０」、「Ｃ」、「Ｈ」と入力するものとしてもよい。また、「ＵＳＡ」ボタンや「Ｃｈ」ボタンを別途信号測定表示装置に設けて、「ＵＳＡ」、「１」、「０」、「Ｃｈ」というように入力することとしてもよい。
【００２６】
また、信号測定表示装置に「次のチャンネルを表示するボタン」及び「前のチャンネルを表示するボタン」を設けて順に選局することができるようにしてもよい。このように構成することで、チャンネル番号を入力する動作を省略することが可能となり、チャンネルを一つずつ順に検査していくことができ検査が容易となる。
【００２７】
また、国名や地域名を入れるだけで、その国の映像周波数の帯域及び各チャンネルの周波数が読み出され、表示されるようにしてもよい。例えばイギリス（または西欧地域）を選択した場合は、スパンが５．５ＭＨｚと設定され、さらに「次のチャンネルを表示するボタン」及び「前のチャンネルを表示するボタン」によって、順にイギリスの各チャンネルの映像周波数が表示されるようにしてもよい。このような構成とすることで、どのような国または地域の放送でも対応することが可能となる。
【００２８】
また、図１及び図３では、ピークサーチ結果２として一つの周波数のみ示しているが、本発明の実施形態に係る信号測定表示装置は、このように値を一つだけ表示する方法に限らない。例えば、ピークサーチを行うことによって、特定の範囲で振幅が大きい周波数を大きいほうからいくつか順に示す方法としてもよいし、範囲内のすべての極大値について表示することとしてもよい。また、複数のピークに対してマーカーも複数表示することとしてもよい。
【００２９】
以上、本発明の実施形態に係る信号測定表示装置について説明したが、本発明の範囲はこれに限定されるものではなく、発明の主旨を逸脱しない範囲で種々の変更を加えて実行することができる。
【産業上の利用可能性】
【００３０】
本発明はスペクトラムアナライザに代表される信号測定表示装置において利用可能である。
【図面の簡単な説明】
【００３１】
【図１】は、信号測定表示装置の表示画面の模式図である。
【図２】は、本発明の実施形態に係る信号測定表示装置のブロック図である。
【図３】は、本発明の実施形態に係る信号測定表示装置の表示画面の模式図である。
【符号の説明】
【００３２】
１  表示画面
２  ピークサーチ結果
３  出力信号
４  ビートノイズ
５  スパン
６  信号測定表示装置
７  ローカル発振器
８  掃引信号発生器
９  ミキサ
１０  中間周波数フィルタ
１１  検波器
１２  Ａ／Ｄ変換器
１３  測定データ記録部
１４  測定データ読出部
１５  データ制御部
１６  表示部
１７  表示方法制御部
【図１】
2008107277.tif 000003
【図２】
2008107277.tif 000004
【図３】
2008107277.tif 000005